(57)【要約】【課題】小型化や薄型化を図っても照明ユニットの良好な放熱性を得ることができ、温度分布を緩和することができる電気光学装置の構成を実現する。【解決手段】本発明の電気光学装置１００は、電気光学パネル１２０と、該電気光学パネルに実装された配線基板１２６と、前記電気光学パネルに光を照射するための照明ユニット１１０とを具備する電気光学装置において、前記照明ユニットの外表面に沿って前記配線基板の少なくとも一部が延在し、前記照明ユニットの前記配線基板により被覆されてなる被覆領域内に配置され、且つ前記照明ユニットの発熱部の熱を伝導する熱伝導部１１８が設けられていることを特徴とする。【選択図】図１
2007248570.tif 000002
【特許請求の範囲】
【請求項１】
電気光学パネルと、該電気光学パネルに実装された配線基板と、前記電気光学パネルに光を照射するための照明ユニットとを具備する電気光学装置において、
前記照明ユニットの外表面に沿って前記配線基板の少なくとも一部が延在し、
前記照明ユニットの前記配線基板により被覆されてなる被覆領域に配置され、且つ前記照明ユニットの発熱部の熱を伝導する熱伝導部が設けられていることを特徴とする電気光学装置。
【請求項２】
前記熱伝導部は、前記被覆領域の外にまで伸びるように形成されていることを特徴とする請求項１に記載の電気光学装置。
【請求項３】
前記照明ユニットは、発光ダイオードと、当該発光ダイオードから出射された光を伝播させる導光板と、前記発光ダイオードが実装されてなる基板と、前記発光ダイオード、前記導光板及び前記基板を収容してなるとともに、前記基板が接触してなる熱伝導性のケースと、を有し、
前記発熱部である前記発光ダイオードから発せられた熱は、前記基板、前記ケース及び前記熱伝導部材に伝導されることを特徴とする請求項１又は２に記載の電気光学装置。
【請求項４】
前記照明ユニットは、複数の光源を含み、
前記熱伝導部は、前記複数の光源の配列方向に伸びるように形成されていることを特徴とする請求項１又は２に記載の電気光学装置。
【請求項５】
前記熱伝導部は、前記外表面に沿って流通する熱媒体を有するヒートパイプ構造を有することを特徴とする請求項１乃至４のいずれか一項に記載の電気光学装置。
【請求項６】
前記熱伝導部の端部は、前記外表面から離反して、電気光学パネル、前記配線基板及び前記照明ユニットを収容してなる筐体に接続されてなることを特徴とする請求項１乃至５のいずれか一項に記載の電気光学装置。
【請求項７】
前記発熱部は、前記照明ユニットの一端部に構成され、
前記配線基板は、前記照明ユニットの前記一端部に沿った前記電気光学パネルの一端部に実装されるとともに、前記電気光学パネルの前記一端部から前記照明ユニットの前記一端部を被覆して前記照明ユニットの背後に回り込むように折り曲げ部で折り曲げられてなり、
前記熱伝導部は、前記折り曲げ部近傍の前記配線基板と前記照明ユニットとの空間に配置されてなることを特徴とする請求項１乃至６のいずれか一項に記載の電気光学装置。
【請求項８】
請求項１乃至７のいずれか一項に記載の電気光学装置を搭載したことを特徴とする電子機器。
【発明の詳細な説明】
【技術分野】
【０００１】
本発明は電気光学装置及び電子機器に係り、特に、電気光学パネルを照明するための照明ユニットを備えた電気光学装置の構造に関する。
【背景技術】
【０００２】
一般に、電気光学パネル等の電気光学パネルを内蔵した電気光学装置においては、電気光学パネルを照明するための照明ユニットを有する場合があり、電気光学パネルと照明ユニットとが平面的に重ねあわされた状態でケース等に収容される。例えば、電気光学パネルの背後に、バックライトを構成する照明ユニットを重ね合わせて配置し、この照明ユニットの照明光で電気光学パネルの透過表示を視認可能としたものが知られている。
【０００３】
上記の照明ユニットとしては、ＬＥＤ等の点状光源や冷陰極管等の線状光源などからなる光源と、この光源から放出された光を電気光学パネルに向けて出射させるための導光板とを有するものがある。このような照明ユニットでは、光源から生ずる熱で温度が上昇し、これによって光源、基板、導光板等の劣化を招くという問題点がある。特に、複数のＬＥＤを配列させて用いる場合には、温度分布が偏ることによって各ＬＥＤの経時的な輝度や色度のばらつきが発生し、照明ユニットの輝度の均一性や表示画面の色再現性が悪化するという問題点がある。
【０００４】
そこで、従来から、光源及び導光板を熱伝導性の良好な金属製のケースを用いたり、光源を金属性基板に接続したり、光源とケースとの密着性を改善したりするなどといった種々の放熱構造の提案がなされている（例えば、以下の特許文献１乃至４参照）。
【特許文献１】特開２００３−３６７１７号公報
【特許文献２】特開２００４−１８６００４号公報
【特許文献３】特開２００５−３８７７１号公報
【特許文献４】登録実用新案第３０９８４６３号公報
【発明の開示】
【発明が解決しようとする課題】
【０００５】
ところで、近年の電気光学装置では、装置の小型化や薄型化を図るために電気光学パネルや照明ユニットの配置に関する自由度が低下してきており、小型化や薄型化を進めることで全体として放熱性が悪化してきているという問題点がある。特に、複数のＬＥＤ等の点状光源を配列させた照明装置が一般的になりつつあるが、複数の点状光源間に温度の偏りが生ずると、経時的に輝度や色度がばらつくため、照明ユニットの輝度分布や色度分布の均一性が確保できないという問題点がある。
【０００６】
また、上記のような小型化や薄型化により照明ユニットの周囲に配線基板（フレキシブル配線基板や回路基板など）を配置する場合が多くなってきており、これによって照明ユニットの一部が配線基板によって被覆されるため、この被覆領域において放熱性が不十分となる場合も考えられる。
【０００７】
そこで本発明は上記問題点を解決するものであり、その課題は、小型化や薄型化を図っても照明ユニットの良好な放熱性を得ることができ、温度分布を緩和することができる電気光学装置の構成を実現することにある。
【課題を解決するための手段】
【０００８】
斯かる実情に鑑み、本発明の電気光学装置は、電気光学パネルと、該電気光学パネルに実装された配線基板と、前記電気光学パネルに光を照射するための照明ユニットとを具備する電気光学装置において、前記照明ユニットの外表面に沿って前記配線基板の少なくとも一部が延在し、前記照明ユニットにおける前記配線基板により被覆されてなる被覆領域に配置され、且つ前記照明ユニットの発熱部の熱を伝導する熱伝導部が設けられていることを特徴とする。
【０００９】
この発明によれば、照明ユニットの外表面に沿って延在し発熱部の熱を伝導する熱伝導部によって当該外表面の熱伝導性を向上させることができるため、照明ユニットの温度分布を緩和することができるとともに、熱伝導部が配線基板による被覆領域に配置されているため、装置の小型化や薄型化を妨げることがなく、さらに、配線基板の被覆による温度分布の偏りを低減する効果が得られる。したがって、小型化や薄型化を妨げることなく、照明ユニットの温度分布の偏りを効率的に低減することが可能になる。
【００１０】
本発明において、前記熱伝導部は、前記被覆領域の外にまで伸びるように形成されていることが好ましい。これによれば、熱伝導部が配線基板による被覆領域内から被覆領域外まで伸びることにより、放熱性を向上させることができるため、温度分布の偏りをさらに低減できるとともに、全体として温度を低下させることが可能になる。
【００１１】
本発明において、前記熱伝導部は、前記被覆領域の両側においてそれぞれ前記被覆領域外へ伸びていることが好ましい。これによれば、熱伝導部を通して被覆領域からその両側へ放熱させることができるため、放熱性をさらに高めることができる。
【００１２】
本発明において、前記照明ユニットは光源を有し、前記発熱部が光源であることが好ましい。電気光学パネルの照明ユニットとしては輝度や色度の面内均一性を確保する上で光源及び導光板を有する構成が最も好ましい。この場合、発熱部は光源であり、当該部分の外表面部位に熱伝導部を設けることで、光源の発熱による温度分布の偏りを効率的に低減することができ、これによって光源の輝度や色度の経時的変化に起因する劣化やばらつきを低減できる。
【００１３】
この場合に、前記照明ユニットは、発光ダイオードと、当該発光ダイオードから出射された光を伝播させる導光板と、前記発光ダイオードが実装されてなる基板と、前記発光ダイオード、前記導光板及び前記基板を収容してなるとともに、前記基板が接触してなる熱伝導性のケースと、を有し、前記発熱部である前記発光ダイオードから発せられた熱は、前記基板、前記ケース及び前記熱伝導部材に伝導されることが好ましい。
【００１４】
本発明において、前記熱伝導部は、前記被覆領域のうち前記光源の背後に位置する背面部若しくは側方に位置する側面部に配置されていることが好ましい。これによれば、熱伝導部が光源の背後や側方の背面部や側面部に配置されることにより、電気光学パネルの構造に影響を与えずに効率的に放熱させることができる。
【００１５】
本発明において、前記照明ユニットは複数の光源を含み、前記熱伝導部は前記複数の光源の配列方向に伸びるように形成されていることが好ましい。これによれば、複数の光源が配列されていることにより、配列方向の中央にある部分が周縁部よりも高温になりやすいが、熱伝導部が配列方向に伸びるように構成されていることで、配列方向の温度分布の偏りを緩和することができる。
【００１６】
本発明において、前記熱伝導部は、前記外表面に熱接触する熱伝導部材であることが好ましい。熱伝導部としては、照明ユニットのケース体に一体に設けられている肉厚部などであっても構わないが、照明ユニットの外表面に熱接触する別体の熱伝導部材とすることで、既存の照明ユニットにも容易に適用することができるとともに、照明ユニットの構造を複雑化させずに構成することが可能になる。ここで、熱伝導部材は照明ユニットのケースの外表面に対して単に当接した状態で何らかの支持手段で支持されていてもよく、また、外表面に接着剤等によって接着されたり、溶接されたりすることによって保持固定されていてもよい。さらに、シリコーンオイル等の放熱グリス（サーマルグリス）等の熱伝導性の良好なペーストを介して熱接触していることが望ましい。
【００１７】
本発明において、前記熱伝導部は、前記外表面に沿って流通する熱媒体を有するヒートパイプ構造を有することが好ましい。熱伝導部としては、照明ユニットの外表面に設けられた厚肉部や外表面に当接するアルミニウムや銅などの熱伝導性の良好な素材からなる板材であってもよいが、熱伝導部をヒートパイプ構造を有するものとすることによって内部の熱媒体が流通して被覆領域内の熱勾配を効率的に低減することができる。ヒートパイプ構造はアルミニウムや銅などの熱伝導性の良好な素材からなるパイプ内に熱媒体を封入してなるものであることが好ましく、例えば、被覆領域内の温度で気化し、被覆領域外において液化する熱媒体を選定することが望ましい。典型的なヒートパイプ構造としては、密封容器内に減圧下で水やアルコール等の熱媒体を封入し、必要に応じて容器内部に熱媒体の凝縮を促進するための微細構造（ウイック等）を設けたものがある。
【００１８】
本発明において、前記熱伝導部は、前記被覆領域の外側において前記外表面から離反していることが好ましい。これによれば、熱伝導部が被覆領域の外側において外表面から離反していることにより、熱伝導部による照明ユニットからの放熱作用を高めることが可能になる。
【００１９】
本発明において、前記熱伝導部の両端部が前記被覆領域の外側において前記外表面からそれぞれ離反していることが好ましい。熱伝導部の両端部が外表面から離反していることにより上記放熱作用を両端部においてそれぞれ得ることができる。
【００２０】
本発明において、前記発熱部は、前記照明ユニットの一端部に構成され、前記配線基板は、前記電気光学パネルの一端部に実装されるとともに、前記電気光学パネルの前記一端部から前記照明ユニットの前記一端部を被覆して前記照明ユニットの背後に回り込むように折り曲げ部で折り曲げられてなり、前記熱伝導部は、前記折り曲げ部近傍の前記配線基板と前記照明ユニットとの空間に配置されてなることが好ましい。これによれば、電気光学パネルと配線基板との実装部分の背後に照明ユニットの発熱部が配置され、当該発熱部を配線基板が被覆して照明ユニットの背後に回り込むように折り曲げられて設置されていることにより、電気光学パネルの端部の実装部分と照明ユニットの端部の発熱部とを重ねて配置することで配線基板の小面積化が可能になるとともに、これらの端部に沿って配線基板を迂回させることで装置全体の小型化を図ることが可能になる。
【００２１】
本発明において、前記配線基板はフレキシブル配線基板であることが好ましい。フレキシブル配線基板を用いることにより、照明ユニットの外表面に沿うように容易に設置することが可能になる。
【００２２】
次に、本発明の電子機器は上記のいずれか一項に記載の電気光学装置を搭載したことを特徴とする。これによれば、コンパクトな電気光学装置を搭載することで電子機器の小型化を図ることができるとともに、温度分布の緩和によって長寿命で安定した発光特性を得ることができる。
【発明を実施するための最良の形態】
【００２３】
次に、添付図面を参照して本発明の実施形態について詳細に説明する。図１は本発明に係る電気光学装置１００の全体構造を示す概略断面図である。本実施形態の電気光学装置１００は、照明ユニット１１０と、この照明ユニット１１０の前方に配置される電気光学パネル１２０とを有している。そして、照明ユニット１１０及び電気光学パネル１２０は、表示画面を露出するための開口部１０１ａを備えた前面フレーム１０１、電気光学パネル１２０を位置決めするパネルフレーム１０２及びバックカバー１０３によって構成されるケース体の内部に収容されている。
【００２４】
照明ユニット１１０は、ＬＥＤ（発光ダイオード）等の発光素子からなる光源１１１と、この光源１１１を実装した素子基板１１２と、光源１１１と対向する光入射面を備えたアクリル樹脂やポリカーボネート樹脂等で構成される導光板１１３と、この導光板１１３の背後に配置されたポリエチレン等で構成される反射シート１１４と、導光板１１３の前方、すなわち、導光板１１３と電気光学パネル１２０との間に配置された１又は複数の光学シート（例えば、光拡散シートや集光シートなど）１１５とを備えている。また、上記の各構成要素は合成樹脂等で形成された内部ケース１１６で位置決めされている。
【００２５】
上記の各要素は内部ケース１１６を含めて全体がユニット収容ケース１１７に収容されている。このユニット収容ケース１１７は背面部１１７ｂと側面部１１７ｓを備えた箱形状を有している。ユニット収容ケース１１７はアルミニウム等の熱伝導性の良好な素材で形成されている。
【００２６】
電気光学パネル１２０はガラスやプラスチック等で構成された基板１２１と１２２とが図示しないシール材を介して貼り合わされ、基板間に図示しない液晶が封入された液晶表示パネルである。基板１２１，１２２の外面上には偏光板１２３，１２４が貼着されている。基板１２１には基板１２２の外形よりも外側へ張り出してなる基板張出部１２１Ｔが設けられ、この基板張出部１２１Ｔ上に配線が引き出されている。また、基板張出部１２１Ｔ上には半導体チップ等で構成される駆動回路１２５が実装されている。基板張出部１２１Ｔの端部にはフレキシブル配線基板１２６が実装されている。このフレキシブル配線基板１２６は、ポリイミド樹脂などからなる基材上に銅などからなる配線パターンが形成されたものである。
【００２７】
フレキシブル配線基板１２６は、電気光学パネル１２０の端部に設けられた基板張出部１２１Ｔ上から照明ユニット１１０の光源１１１が収容された端部の側方を通過した後、背後に回りこむように設置されている。より具体的には、ユニット収容ケース１１７の側面部１１７ｓ上を通過して背面部１１７ｂ上に回り込み、この背面部１１７ｂに沿ってさらに伸びるように、断面Ｕ字状若しくはコ字状に設置されている。そして、フレキシブル配線基板１２６は照明ユニット１１０の背後に配置された回路基板１２７に実装されている。回路基板１２７はガラスエポキシ樹脂やフェノール樹脂等の硬質基材上に所定の配線パターンを形成するとともに回路素子を実装してなり、フレキシブル配線基板１２６を通して電気光学パネル１２０に制御信号や表示信号を送るように構成されている。回路基板１２７は照明ユニット１１０のユニット収容ケース１１７の背面部１１７ｂに対してほぼ平行となるように対向配置されている。図示例の場合、回路基板１２７はボスや固定ねじ等で構成される位置決め固定部１０４によってユニット収容ケース１１７及びバックカバー１０３に固定されている。
【００２８】
本実施形態では、照明ユニット１１０における上記フレキシブル配線基板１２６で被覆された被覆領域内の外表面に熱伝導板１１８が熱接触している。熱伝導板１１８はアルミニウム、銅、ステンレス鋼などの熱伝導性の良好な素材で構成されている。熱伝導板１１８を構成する素材の熱伝導率は、１５［Ｗ／（ｍ・Ｋ）］以上であることが好ましく、１００［Ｗ／（ｍ・Ｋ）］以上であることがさらに望ましい。このような熱伝導率の好適な範囲は、照明ユニット１１０のユニット収容ケース１１７やバックカバー１０３の素材についても同様である。
【００２９】
熱伝導板１１８は上記被覆領域においてユニット収容ケース１１７の外表面に対してカシメ、ネジ止め、接着（接着剤を用いる場合だけでなく両面テープ等を用いる場合も含む）などによって固定されている。なお、ユニット収容ケース１１７と熱伝導板１１８とが放熱グリースなどの熱伝導性の高いペースト材を介して熱接触することで、実質的な接触面積が増大した状態とされることが望ましい。
【００３０】
図３にはユニット収容ケース１１７と熱伝導板１１８の取り付け状態を示す底面図及び断面図を示す。熱伝導板１１８は帯状に構成され、図１の紙面と直交する方向に伸びた延長形状を備えている。熱伝導板１１８は、図示一点鎖線で示すフレキシブル配線基板１２６の被覆領域（側面部１１７ｓ及び背面部１１７ｂの一部、具体的には光源１１１が配列されている部分の外表面範囲）内においてユニット収容ケース１１７に熱接触しているとともに、当該被覆領域外へと伸びている。特に、図示例では熱伝導板１１８の両端部１１８ａ，１１８ｂはユニット収容ケース１１７の左右の端部から離反している。これらの両端部１１８ａ，１１８ｂは上記のように単に外側へ突出しているだけでもよいが、例えば、後述する電子機器に搭載されるときに、電子機器内の温度が低い部分に熱接触させることが放熱性をさらに高める上で好ましい。
【００３１】
熱伝導板１１８は照明ユニット１１０の光源１１１の背後に配置されている。すなわち、光源１１１の設置位置と、熱伝導板１１８の設置位置とが平面的に重なるように構成されている。具体的には、ユニット収容ケース１１７の背面部１１７ｂのうち光源１１１の背後に位置する端部（側面部１１７ｓに隣接する部分）に熱接触している。また、本実施形態では複数の光源１１１が一列に配列されており、熱伝導板１１８はこの配列方向に延在するように設けられている。
【００３２】
図２は上記実施形態の変形例を示す断面図、図４は当該変形例のユニット収容ケース１１７及び熱伝導板１１８′の構成を示す底面図及び断面図である。この変形例では、熱伝導板１１８′の設置位置を除いて上記実施形態と同様に構成されているので、同様の部分については同一符号を付し、それらの説明は省略する。
【００３３】
この変形例では、熱伝導板１１８′がユニット収容ケース１１７の側面部１１７ｓに熱接触している。側面部１１７ｓは光源１１１の背面、若しくは、光源１１１を実装した素子基板１１２が内側にて熱接触する部分であり、この側面部１１７ｓの外表面部位に熱伝導板１１８′を熱接触させることによって効率的に温度分布を緩和することができる。なお、熱伝導板１１８′が複数の光源１１１の配列範囲に沿って延在している点やフレキシブル配線基板１２６の被覆領域から被覆領域外まで伸びている点、ユニット収容ケース１１７の外表面から離反した両端部１１８ａ′及び１１８ｂ′を備えている点などは上記実施形態と同様である。
【００３４】
上記の実施形態では、照明ユニット１１０の外表面上に熱伝導板１１８、１１８′を熱接触させているが、照明ユニット１１０の外表面に肉厚に構成した部分（リブ）を構成して、これを熱伝導部としてもよい。具体的には、ユニット収容ケース１１７の外表面に肉厚部を構成し、これをフレキシブル配線基板１２６の被覆領域から被覆領域外へ伸びるように構成してもよい。
【００３５】
また、上記の実施形態では熱伝導板１１８、１１８′として単なる熱伝導部材を用いているが、より放熱性や温度分布の緩和効果を高めるためには、照明ユニット１１０と別体のヒートパイプ構造を有する熱伝導部材を用いたり、照明ユニット１１０の外表面に一体に設けられたヒートパイプ構造の熱伝導部を設けたりすることが好ましい。このようなヒートパイプ構造としては、一般に、管状に構成された密封された収容空間内に減圧下で熱媒体を封入したものが挙げられる。熱媒体としては、水やアルコール等といった、収容空間内で高温部の熱を受けて気化するとともに低温部で凝縮することの可能なものを用いる。また、低温部での熱媒体の凝縮を促進するために収容空間の内面に微細な凹溝や凸条を形成したものが好ましい。
【００３６】
本実施形態では、熱伝導板１１８、１１８′を設けることで、照明ユニット１１０の発熱部を覆う外表面部位の熱伝導性が高められるため、発熱部に配置される複数の光源１１１の温度分布の偏りが緩和される。特に、熱伝導板１１８、１１８′がフレキシブル配線基板１２６の被覆領域内から被覆領域外へと伸びていることによりフレキシブル配線基板１２６による保温効果を削減させることで放熱性が高められており、さらに、熱伝導板１１８、１１８′の両端部１８ａ、１１８ｂが照明ユニット１２０の外表面から離反していることによって、放熱性がさらに向上している。
【００３７】
また、熱伝導板１１８、１１８′はフレキシブル配線基板１２６の被覆領域に配置されていて、ユニット収容ケース１１７の外表面とフレキシブル配線基板１２６の間の空隙部であった部分に収容されるため、装置の小型化や薄型化をほとんど妨げないという利点がある。
【００３８】
図５は、上記実施形態の熱伝導板１１８を用いない場合の照明ユニット１１０単独の温度分布（破線）と、電気光学装置１００を電子機器に搭載した場合を想定し、この場合に近づいた温度環境となるように、ユニット収容ケース１１７に設けた耳部１１７ｘを温度３０℃に保たれた熱源に取り付けた場合の温度分布（点線）とをそれぞれ示す温度分布図である。
【００３９】
図５に示すように、熱伝導板１１８を設けない場合には、ユニット収容ケース１１７だけでは充分な放熱ができず、光源１１１はいずれも５５℃以上となり、光源だけでなくケースも中央部では５２度を超えている。一方、耳部１１７ｘを３０℃の熱源に取り付けた場合には全体として温度が低下して放熱効果が得られることがわかるが、この場合には中央の光源１１１は５０度近くに達するのに対して周縁部の光源１１１は４５℃程度となり、光源１１１間の温度差が却って拡大している。
【００４０】
図６は、熱伝導板１１８を設けた実施例の温度分布を示す。ここで、耳部１１６ｘは３０℃で一定の熱源に取り付けてある。この場合、耳部１１７ｘ近傍の温度分布は図５に示すものとほぼ同じであるが、熱伝導板１１８の延在方向である光源１１１の配列方向の温度分布が大幅に均一化され、各光源１１１は４５℃程度でほとんど同じ温度となっているとともに、全体としても光源１１１の近傍部分の温度が低下している。
【００４１】
最後に、図７及び図８を参照して本発明に係る電子機器について説明する。図７は本発明に係る電子機器であるノート型パーソナルコンピュータ装置２００の概略斜視図である。このパーソナルコンピュータ２００は、複数の操作ボタン２０１ａや他の操作装置２０１ｂを備えた本体部２０１と、この本体部２０１に接続され、表示画面２０２ａを備えた表示部２０２とを備えている。図示例の場合、本体部２０１と表示部２０２は開閉可能に構成されている。表示部２０２の内部には上述の電気光学装置１００が内蔵されており、表示画面２０２ａに所望の表示画像が表示されるようになっている。この場合、パーソナルコンピュータ２００の内部には、上記電気光学装置１００を制御する表示制御回路が設けられる。この表示制御回路は、電気光学装置１００の駆動回路１２５に対して映像信号その他の入力データや所定の制御信号を送り、電気光学パネル１２０の動作態様を決定するように構成されている。
【００４２】
図８は本発明に係る他の電子機器である携帯電話機３００の概略斜視図である。ここに示す携帯電話機３００は、複数の操作ボタン３０１ａ，３０１ｂ及び送話口などを備えた操作部３０１と、表示画面３０２ａや受話口などを備えた表示部３０２とを有し、表示部３０２の内部に上記の電気光学装置１００が組み込まれてなる。そして表示部３０２の表示画面３０２ａにおいて電気光学装置１００により形成された表示画像を視認することができるようになっている。この場合、携帯電話機３００の内部には、上記電気光学装置１００を制御する表示制御回路が設けられる。この表示制御回路は、電気光学装置１００の駆動回路１２５に対して映像信号その他の入力データや所定の制御信号を送り、電気光学パネル１２０の動作態様を決定するように構成されている。
【００４３】
尚、本発明の電気光学装置は、上述の図示例にのみ限定されるものではなく、本発明の要旨を逸脱しない範囲内において種々変更を加え得ることは勿論である。例えば、上記各実施形態の電気光学装置は照明ユニット１１０の外表面がユニット収容ケース１１７の表面で構成されている例を示したが、本発明はこのような構成に限らず、照明ユニット１１０の外部に露出する種々の面、例えば、光源１１１そのものや素子基板１１２の裏面などを上記外表面とすることが可能である。また、上記実施形態ではフレキシブル配線基板１２６の被覆領域に熱伝導板１１８を配置しているが、フレキシブル配線基板１２６に限らず、回路基板１２７などの他の配線基板の被覆領域に熱伝導板１１８その他の熱伝導部を設けてもよい。
【図面の簡単な説明】
【００４４】
【図１】電気光学装置の実施形態の全体構成を示す概略断面図。
【図２】同実施形態の変形例の全体構成を示す概略断面図。
【図３】同実施形態のユニット収容ケースと熱伝導板の底面図及び断面図。
【図４】同実施形態の変形例のユニット収容ケースと熱伝導板の底面図及び断面図。
【図５】熱伝導板を設けない場合の温度分布を示す図。
【図６】熱伝導板を設けた実施例の温度分布を示す図。
【図７】電子機器の一例を示す概略斜視図。
【図８】電子機器の他の例を示す概略斜視図。
【符号の説明】
【００４５】
１００…電気光学装置、１０１…前面ケース、１０２…パネルケース、１０３…バックカバー、１１０…照明ユニット、１１１…光源、１１２…素子基板、１１３…導光板、１１４…反射シート、１１５…光学シート、１１６…内部ケース、１１７…ユニット収容ケース、１１８…熱伝導板、１２０…電気光学パネル、１２１、１２２…基板、１２３、１２４…偏光板、１２５…駆動回路、１２６…フレキシブル配線基板、１２７…回路基板
【図１】
2007248570.tif 000003
【図２】
2007248570.tif 000004
【図３】
2007248570.tif 000005
【図４】
2007248570.tif 000006
【図５】
2007248570.tif 000007
【図６】
2007248570.tif 000008
【図７】
2007248570.tif 000009
【図８】
2007248570.tif 000010